(57)【要約】      （修正有）【課題】構造がシンプルで、生産コストが低いカバン用面取りロックを提供する。【解決手段】カバンの下本体に固定されたロック部材と、ロック部材と嵌合してロックされ且つカバンの上本体に固定された挿入シート１とを備え、ロック部材は、ロックヘッド２１、ロックシート２２及びロックテール２３を含み、ロックヘッド２１とロックシート２２は円弧状に形成され、ロックシート２２はカバンの下本体に固定され、ロックヘッド２１の一端はピン軸によりロックシート２２にヒンジ接続され、ロックヘッド２１及びロックシート２２にはピン軸が貫通するための軸孔が設けられ、ロックヘッド２１の他端にはロックシート２２と係止可能な係止ヘッドが設置され、ロックシート２２の頭部に係止ヘッドが挿入するための係合溝が設けられ、ロックシート２２のテールには挿入シート１が挿入するための挿入孔２２３が設けられる。【選択図】図１
0003217477.tif 000002
【実用新案登録請求の範囲】
【請求項１】
カバンの下本体に固定されたロック部材と、ロック部材と嵌合してロックされ且つカバンの上本体に固定された挿入シートとを備えるカバン用面取りロックであって、
前記ロック部材は、ロックヘッド、ロックシート及びロックテールを含み、前記ロックヘッドとロックシートは円弧状に形成され、前記ロックシートはカバンの下本体に固定され、前記ロックヘッドの一端はピン軸によりロックシートにヒンジ接続され、前記ロックヘッド及びロックシートにはピン軸が貫通するための軸孔が設けられ、前記ロックヘッドの他端にはロックシートと係止可能な係止ヘッドが設置され、前記ロックシートの頭部に係止ヘッドが挿入するための係合溝が設けられ、前記ロックシートのテールには挿入シートが挿入するための挿入孔が設けられ、前記ロックシートの内部に挿入シートと嵌合してロック可能な第２リンクが設置され、前記挿入シートには第２リンクと嵌合してロック可能な曲げ部が設けられ、前記ロックヘッド内に第２リンクに接続された第１リンクが設けられ、前記ロックヘッド内に第２リンク取付台が設けられ、前記第２リンクはピン軸によりロックヘッド内にヒンジ接続され、前記第２リンクにピン軸が貫通するための軸孔が設けられ、前記ピン軸の両端がロックヘッドの側壁にある軸孔に固定されることを特徴とするカバン用面取りロック。
【請求項２】
前記ロックヘッド内に係止ヘッドが摺動するためのスライドレールが設けられ、前記スライドレールの端部の中間にストッパーが設けられ、前記ストッパーにバネが設けられ、前記係止ヘッドの端部の両側に止めブロックが設けられることを特徴とする請求項１に記載のカバン用面取りロック。
【請求項３】
前記ロックシートの頭部に係合溝が設けられ、前記係合溝はロックシートに固定して接続され、前記係合溝の内部にスライダーが設けられ、前記スライダーの内側にバネが設けられることを特徴とする請求項１に記載のカバン用面取りロック。
【請求項４】
前記第１リンクのテールにノッチが設けられ、且つノッチの両側壁が下へ延びており、前記側壁にピン軸が挿通するための軸孔が設けられ、前記第２リンクは縦板と横板を含み、前記縦板は第１リンクの縦板の長さと同様な深さを有するノッチに挿入され、前記第１リンクのテールにある両側壁が第２リンクの横板に当接されることを特徴とする請求項１に記載のカバン用面取りロック。
【請求項５】
前記ロックシートのテールに第２リンクが摺動するためのスライド溝が設けられ、前記第２リンクのテールにストッパーが設けられ、前記ストッパーにバネが設けられることを特徴とする請求項１に記載のカバン用面取りロック。
【考案の詳細な説明】
【技術分野】
【０００１】
本考案はカバンの技術分野に属し、特にカバン用面取りロックに関する。
【背景技術】
【０００２】
カバンは日常生活に小物又は荷物を収納する物品であり、特に観光産業が高速に発展している現代、カバンへの需要量が高まりつつある。一般的に、カバンはロック部材が取り付けられ、且つ従来のカバンに取り付けたロック部材の多くがコンビネーションロックであり、コンビネーションロックとカバンのスライドファスナーとを組み合わせてカバンを施錠し、従来のカバンは、スライドファスナーを引いてファスナーのスライダーとコンビネーションロックを協力させることによってしかカバンを施錠することができないため、使用、操作が面倒であるという欠点があるだけでなく、長期間使用するとコンビネーションロックに破損が発生しやすいとともに、コンビネーションロックの場合は、構造が複雑で、生産コストが高いという欠点がある。
【考案の概要】
【考案が解決しようとする課題】
【０００３】
上記従来技術の欠点及び存在する技術的問題に対して、本考案は、容易に使用したり操作したりすることができ、耐用年数が長く、構造がシンプルで、生産コストが低いという特徴を有するカバン用面取りロックを提供する。
【０００４】
本考案では、技術的問題を解決するために使用される技術案は以下のとおりである。カバンの下本体に固定されたロック部材と、ロック部材と嵌合してロックされ且つカバンの上本体に固定された挿入シートとを備えるカバン用面取りロックであって、前記ロック部材は、ロックヘッド、ロックシート及びロックテールを含み、前記ロックヘッドとロックシートは円弧状に形成され、ロックシートはカバンの下本体に固定され、ロックヘッドの一端はピン軸によりロックシートにヒンジ接続され、ロックヘッド及びロックシートにはピン軸が貫通するための軸孔が設けられ、ロックヘッドの他端にはロックシートと係止可能な係止ヘッドが設置され、ロックシートの頭部に係止ヘッドが挿入するための係合溝が設けられ、ロックシートのテールには挿入シートが挿入するための挿入孔が設けられ、ロックシートの内部に挿入シートと嵌合してロック可能な第２リンクが設置され、挿入シートには第２リンクと嵌合してロック可能な曲げ部が設けられ、ロックヘッド内に第２リンクに接続された第１リンクが設けられ、ロックヘッド内に第２リンク取付台が設けられ、第２リンクはピン軸によりロックヘッド内にヒンジ接続され、第２リンクにピン軸が貫通するための軸孔が設けられ、ピン軸の両端がロックヘッドの側壁にある軸孔に固定されることを特徴とする。
【０００５】
本考案に係るカバン用面取りロックでは、ロックヘッド内に係止ヘッドが摺動するためのスライドレールが設けられ、スライドレールの端部の中間にストッパーが設けられ、ストッパーにバネが設けられ、係止ヘッドの端部の両側に係止ヘッドの脱出を防止するための止めブロックが設けられる。
【０００６】
本考案に係るカバン用面取りロックでは、ロックシートの頭部に係合溝が設けられ、係合溝はロックシートに固定して接続され、係合溝の内部にスライダーが設けられ、スライダーの内側にバネが設けられる。このように設置することによって、本考案の構造を簡略化させるとともに、本考案の組み立てを容易にする。
【０００７】
本考案に係るカバン用面取りロックでは、第１リンクのテールにノッチが設けられ、且つノッチの両側壁が下へ延びており、側壁にはピン軸が挿通するための軸孔が設けられ、第２リンクは縦板と横板を含み、縦板は第１リンクの縦板の長さと同様な深さを有するノッチに挿入され、第１リンクのテールの両側壁は第２リンクの横板に当接される。
【０００８】
本考案に係るカバン用面取りロックでは、ロックシートのテールに第２リンクが摺動するためのスライド溝が設けられ、第２リンクのテールにストッパーが設けられ、ストッパーにバネが設けられる。
【考案の効果】
【０００９】
本考案の有益な効果は以下のとおりである。本考案に係るカバン用面取りロックを使用すると、係止ヘッドを押圧するだけでカバンの施錠と開錠を行うことができ、ファスナーのスライダーとコンビネーションロックを協力させてカバンを施錠する形態に比べ、操作の複雑性を低下させて、ユーザに利便性をもたらし、且つ本考案は、コンビネーションロックに比べて、カバンへの施錠の確実性を向上させ、破損しにくく、耐用年数が長いという利点を有し、同時に、本考案はさらに、構造の複雑性を大幅に低下させ、生産コストを削減させる。
【図面の簡単な説明】
【００１０】
【図１】本考案の立体構造模式図である。
【図２】本考案の立体構造模式図である。
【図３】本考案の解体図である。
【図４】本考案の解体図である。
【図５】本考案の解体図である。
【考案を実施するための形態】
【００１１】
以下、図面を参照しながら本考案の実施形態について詳細に説明し、本考案の利点及び従来技術に対する卓越した貢献をさらに説明し、なお、下記実施例は本考案の好適な実施形態を詳細に説明するためのものに過ぎず、本考案の技術案についての制限として理解できない。本考案の設計構想を逸脱することなく、当業者が本考案の技術案について実施する各種変形や改良はいずれも本考案の保護範囲に属し、本考案が保護を要求する技術の内容はすべて特許請求の範囲に記載されている。
【００１２】
図１−５に示されるカバン用面取りロックは、カバンの下本体に固定されたロック部材と、ロック部材と嵌合してロックされ且つカバンの上本体に固定された挿入シート１とを備え、ロック部材は、ロックヘッド２１、ロックシート２２及びロックテール２３を含み、ロックヘッド２１とロックシート２２は円弧状に形成され、ロックシート２２はカバンの下本体に固定され、ロックヘッド２１の一端はピン軸８によりロックシート２２にヒンジ接続され、ロックヘッド２１に軸孔２１３が設けられ、ロックシート２２にピン軸８が貫通するための軸孔２２１が設けられ、ロックヘッド２１の他端にはロックシート２２と係止可能な係止ヘッド３が設置され、ロックシート２２の頭部に係止ヘッド３が挿入するための係合溝４が設けられ、ロックシート２２のテールには挿入シート１が挿入するための挿入孔２２３が設けられ、ロックシート２２の内部に挿入シート１と嵌合してロック可能な第２リンク７が設置され、挿入シート１に第２リンク７と嵌合してロック可能な曲げ部１１が設けられ、ロックヘッド２１内に第２リンク７に接続された第１リンク６が設けられ、ロックヘッド２１内に第２リンク取付台２１４が設けられ、第２リンク７はピン軸８によりロックヘッド２１内にヒンジ接続され、第２リンク７にピン軸８が貫通するための軸孔が設けられ、ピン軸８の両端がロックヘッド２１の側壁にある軸孔２１３に固定される。
【００１３】
本実施例において、ロックヘッド２１内に係止ヘッド３が摺動するためのスライドレール２１１が設けられ、スライドレール２１１の端部の中間にストッパー２１２が設けられ、ストッパー２１２にバネ５が設けられ、係止ヘッド３の端部の両側に係止ヘッド３の脱出を防止するための止めブロック３１が設けられる。
【００１４】
本実施例において、ロックシート２２の頭部に係合溝４が設けられ、係合溝４はロックシート２２に固定して接続され、係合溝４の内部にスライダー４１が設けられ、スライダー４１の内側にバネ（未図示）が設けられる。
【００１５】
本実施例において、第１リンク６のテールにノッチ６１が設けられ、且つノッチ６１の両側壁６２が下へ延びており、側壁６２にピン軸８が挿通するための軸孔６３が設けられ、第２リンク７は縦板７１と横板７２を含み、縦板７１は第１リンク６の縦板７１の長さと同様な深さを有するノッチ６１に挿入され、第１リンク６のテールにある両側壁６２が第２リンク７の横板７２に当接される。
【００１６】
本実施例において、ロックシート２２のテールに第２リンク７が摺動するためのスライド溝２２２が設けられ、第２リンク７のテールにストッパー７２が設けられ、ストッパー７２にバネ９が設けられる。
【００１７】
本考案の使用方法及び作動過程は以下のとおりである。カバンが施錠状態にあるとき、係止ヘッドは、バネの作用下で係合溝と係止された状態になり、第２リンクの縦板は挿入シートの曲げ部と係合され、ユーザが係止ヘッドを押圧すると、係止ヘッドは、スライドレールに沿って内側へ移動して、係合溝から離脱し、第２リンクのストッパーにバネが設けられているため、バネの作用により、第２リンクは、第１リンクを押してピン軸回りに反らせるとともに、第１リンクは、ロックヘッドを連動して上へ反らせ、このとき、第２リンクがスライド溝に沿って前へ移動するため、挿入シートの曲げ部は第２リンクの縦板との係合を解消し、ユーザはカバンを開けるようになる。ユーザがロックヘッドの回転向きにロックヘッドを押し戻すと、係止ヘッドは、バネの作用下で係合溝とのロック状態に戻り、同時に、ロックヘッドは第１リンクを連動して運動させ、第１リンクは、第２リンクを初期位置まで押して、挿入シートの曲げ部と第２リンクの縦板はロック状態に戻り、このように、カバンへの施錠は実現される。
【図１】
0003217477.tif 000003
【図２】
0003217477.tif 000004
【図３】
0003217477.tif 000005
【図４】
0003217477.tif 000006
【図５】
0003217477.tif 000007